(57)【特許請求の範囲】
【請求項１】
テープ引出し用開口部を側壁に備えたカートリッジケース内に、磁気テープを巻装した単一のリールが回転可能に収容され、前記テープの端部に取り付けられたリーダピンが、前記テープ引出し用開口部に臨むようにバネ部材により着脱自在に両端を保持されてなる磁気テープカートリッジにおいて、
テープ走行領域外の領域であって、かつ該テープ走行領域のテープ最大巻径側の境界線と該境界線に近接する前記カートリッジケースの側壁とに挟まれた領域の前記テープ引出し用開口部の近傍に、前記バネ部材を固定する機能を兼ねるリブおよびボスを設け、
前記リブが、前記バネ部材の根元部を係止する鉤状の断面形状を有するものであり、前記ボスが、前記側壁の内壁面との間のギャップ内に前記バネ部材の中途部分を保持するものであることを特徴とする磁気テープカートリッジ。
【発明の詳細な説明】
【０００１】
【発明の属する技術分野】
本発明は、カートリッジケース内に磁気テープを巻装した単一のリールが回転可能に収容され、上記カートリッジケースの側壁に、テープ引出し用開口部が形成された磁気テープカートリッジに関するものである。
【０００２】
【従来の技術】
従来、コンピュータメモリのバックアップ用の記録媒体として使用されている磁気テープカートリッジには、単一のリールに磁気テープを巻装し、このリールをカートリッジケース内に回転自在に収容したタイプのものが知られている。
【０００３】
この磁気テープは、重要な情報が記憶されているため、テープジャミング等のトラブルが発生しないように、また不用意に磁気テープが引き出されないように構成されている。
【０００４】
この種の磁気テープカートリッジは、ほぼ四角形の平面形を有する下ハーフとこの下ハーフと相似の平面形を有して下ハーフの上部に重ね合わせられる上ハーフとが四隅部で互いにビス等の接合手段により接合されて構成されたプラスチック製のカートリッジケースを備えている。
【０００５】
図８は、このようなカートリッジケースの下ハーフにおけるテープ引出し用開口部近傍の構成の一例を示す平面図である。
【０００６】
図において、下ハーフ３の側壁３ａの端部にはテープ引出し用開口部２６が形成され、下ハーフ３の底壁上面には、テープ引出し用開口部２６に臨む凹部２８が形成され、この凹部２８に、磁気テープ２０の先端をクランプしたリーダ部材（図示は省略）が例えばバネ板からなる係止用部材によって着脱自在に保持されるようになっている。Ｌ１はテープ走行領域のテープ最大巻径側の境界線を示し、Ｌ２はテープ走行領域のテープ最小巻径側の境界線を示す。磁気テープ２０を巻回したリール４の外側には円弧状のリブ３２が立設され、さらに、テープ引出し用開口部２６の近傍には、この磁気テープカートリッジが記録・再生装置に装着されたときの位置決めに用いられる位置決め孔（盲孔）３３を備えたボス３４と、上下シェル締結用ねじの挿入孔（貫通孔）３５を備えたボス３６とが近接して立設されている。
【０００７】
【発明が解決しようとする課題】
ところで、１リールタイプの磁気テープカートリッジでは、２リールタイプの磁気テープカートリッジとは異なり、磁気テープ２０の引出し方向が、図８の右下に矢示するＡ方向またはＢ方向であることが多い（２リールタイプでは図８のＣ方向）。このため、テープ走行領域のテープ最大巻径側では、境界線Ｌ１で示すように、磁気テープ２０がカートリッジケースの側壁３ｂに近接して走行することになり、静電気が発生しやすいプラスチック製のカートリッジケースの側壁３ｂに磁気テープ２０が貼付き易くなるという問題を生じる。また、磁気テープ２０の保存時にも、リールに巻き付けた状態で保存するため、やはり静電気で側壁３ｂに貼付きやすくなる。
【０００８】
したがって、走行時においては、磁気テープ２０が側壁３ｂに接触して、磁気テープ２０に傷が付き、データが欠落したり、データの記録再生が不能になったりする不都合を生じる。また、磁気テープ２０が側壁３ｂの壁面を削るために粉が発生し、ドロップアウトの原因にもなる。さらに、保存時に、磁気テープ２０に塗布されている成分と、カートリッジケースの樹脂成分とが反応して、磁気テープ２０が側壁３ｂの壁面に接着されてしまうおそれもある。
【０００９】
さらに近年、コンパクトかつ大容量の１リールタイプのバックアップ用磁気テープカートリッジが開発されているので、カートリッジケース内に収容されているテープ巻回体（巻き玉）は、カートリッジケースの内壁面に接近していることに加えて、大容量タイプの磁気テープはその厚みが数μｍと薄いために剛性が低く、静電気の影響を受けやすい傾向にある。
【００１０】
このような事情に鑑み、本発明は、主としてカートリッジケース内壁面への磁気テープの貼付きを防止して、上述した不具合の発生を回避することにより、磁気テープを安定に走行させることを目的とするものである。
【００１１】
【課題を解決するための手段】
本発明は、テープ引出し用開口部を側壁に備えたカートリッジケース内に、磁気テープを巻装した単一のリールが回転可能に収容され、前記テープの端部に取り付けられたリーダピンが、前記テープ引出し用開口部に臨むようにバネ部材により着脱自在に両端を保持されてなる磁気テープカートリッジにおいて、
テープ走行領域外の領域であって、かつこのテープ走行領域のテープ最大巻径側の境界線とこの境界線に近接する前記カートリッジケースの側壁とに挟まれた領域のテープ引出し用開口部の近傍に、上記バネ部材を固定する機能を兼ねるリブおよびボスを設け、上記リブが、前記バネ部材の根元部を係止する鉤状の断面形状を有するものであり、上記ボスが、前記側壁の内壁面との間のギャップ内に前記バネ部材の中途部分を保持するものであることを特徴とするものである。
【００１２】
【発明の効果】
本発明によれば、テープ走行領域外の領域であって、かつこのテープ走行領域のテープ最大巻径側の境界線とこの境界線に近接する上記カートリッジケースの側壁とに挟まれた領域のテープ引出し用開口部の近傍に、上記バネ部材を固定する機能を兼ねるリブおよびボスを設けたことにより、上記内壁面に対する磁気テープの接触面積が減り、かつ上記内壁面と磁気テープとの間に空気が介在することになるから、カートリッジケースの内壁面への磁気テープの貼付きを防止することができる。
【００１３】
したがって、磁気テープの走行時にデータが欠落したり、データの記録再生が不能になったり、ドロップアウトを発生したりする不都合を回避することができる。また、磁気テープの保存時に、磁気テープがカートリッジケースの内壁面に貼り付くおそれもなくなる。
【００１４】
また、上記バネ部材を固定する機能を兼ねるリブおよびボスをテープ引出し用開口部の近傍に設けることにより、防塵機能および構造の簡素化を果たすことも可能である。
【００１５】
【発明の実施の形態】
以下、図面を参照して本発明の実施の形態について説明する。
【００１６】
図１は、本発明による磁気テープカートリッジの一実施の形態の構成を示す分解斜視図、図２は参考例のテープ貼付き防止構造を有する図１のカートリッジケースの一部を切除した要部の斜視図である。
【００１７】
図１に示すように、磁気テープカートリッジ１は、四角形の平面形を有する下ハーフ３とこの下ハーフ３と相似の平面形を有して下ハーフ３の上部に重ね合わせられる上ハーフ２とが四隅部で互いにビス等の接合手段により接合されて構成された偏平な硬質プラスチック製のカートリッジケース７を備え、このカートリッジケース７内に、磁気テープ２０を巻装した単一のリール４が回転可能に収容されている。
【００１８】
リール４は、下リール５と上リール６とが超音波溶着により接合された構成を有し、下リール５は、外周に磁気テープ２０が巻回される円筒状のリールハブ２３と、リールハブ２３の下端外周から径方向に張り出したフランジ部２４とを合成樹脂により一体成型したものである。リールハブ２３の底部外面には、リール４を回転駆動するマグネット式の回転駆動手段を接合させるためのリールプレート８が取り付けられており、リールハブ２３の底部内面には、ブレーキボタン９に形成された制止用ギア９Ａと係合して不使用時の回転を拘束する制止用ギア２３Ａが刻設されている。また、リールハブ２３には開口２３Ｂが形成されており、ここに磁気テープカートリッジ１を使用する外部の記録再生装置に設けられたドライブ解除スピンドルが挿通され、ブレーキボタン９を上方へ移動させる。
【００１９】
ここで、ブレーキボタン９には、リールハブ２３と対向する側に上述した制止用ギア９Ａが形成されており、それとは反対側に、上ハーフ２に形成されたブレーキガイド突起が嵌合される嵌合溝９Ｂが形成されている。カートリッジ不使用時には、ブレーキボタン９はコイルバネ１０により図中下方に付勢された状態でリールハブ２３内部に装着されており、ブレーキボタン９とリールハブ２３との制止用ギア９Ａ，２３Ａが咬み合ってリール４の回転が防止されている。一方、カートリッジ使用時には、記録再生装置のドライブ解除スピンドルがブレーキボタン９を押圧することにより、ブレーキボタン９をコイルバネ１０の付勢力に抗して図中上方へ移動させ、これにより制止用ギア９Ａ，２３Ａの係合が解除され、リール４が回転自在とされる。
【００２０】
カートリッジケース７の一側壁には、磁気テープ２０を引き出すための開口部２６が形成されている。開口部２６にはカートリッジケース７の側壁に平行な矢印Ａ方向に移動可能なスライドドア２７が取り付けられている。スライドドア２７は不図示のバネにより、開口部２６を閉じる方向に付勢されている。
【００２１】
また、磁気テープカートリッジ１の不使用時には、磁気テープ２０は完全にリール４に巻き込まれており、磁気テープ２０の端部に取り付けられたリーダピン２１のようなリーダ手段が開口部２６の近傍に形成された凹部２８に係止されている。
【００２２】
上記リーダピン２１は、磁気テープカートリッジ１を使用する記録再生装置が磁気テープ２０を装置内のテープ走行路に導入するために開口部２６を通じて保持して引き込むものであり、リーダピン２１を上記凹部２８に着脱可能に保持する係止用部材としてのバネ部材４２（図２および図７参照）が設置されている。
【００２３】
そして、磁気テープカートリッジ１が対応する外部の記録再生装置にセットされると、上述したようにブレーキボタン９とリールハブ２３との制止用ギア９Ａ，２３Ａの係止が解除されてリール４が回転自在とされるとともに、マグネット式の回転駆動手段がリールプレート８と接合してリール４を回転させる。これとともに、スライドドア２７が開かれてリーダピン２１がテープ走行路の所定位置に引き込まれ、磁気テープ２０へのデータの読み書きが可能となる。
【００２４】
カートリッジケース７内における一隅部７Ａには、磁気テープ２０に記録された情報の内容等を記録するための非接触式メモリ素子（Memory In Cartridge 、以下ＭＩＣと呼ぶ）３０が取り付けられる。ここで、ＭＩＣ３０は矩形の板状部材からなり、情報の読み書きを電磁誘導等の手法により非接触で行うことができるものである。
【００２５】
また、カートリッジケース７内には、リール４に巻回された磁気テープ２０を同軸的に取り囲む円弧状のリブ３１が上ハーフ２の頂壁および下ハーフ３の底壁から突設され、リブ３１の内壁面には、ローレット目Ｒが刻設されている。さらに、カートリッジケース７のテープ引出し用開口部２６付近の側壁の内壁面にも、テープ貼付き防止構造の参考例として図２に示すようにローレット目Ｒが刻設されている。
【００２６】
このように、本参考例では、リブ３１およびテープ引出し用開口部２６付近の側壁の内壁面にローレット目Ｒを形成することによって、カートリッジケース７内壁面に対する静電気による磁気テープ２０の貼付きを防止することができる。
【００２７】
さらに、スライドドア２７、あるいはカートリッジケース７内壁面のリーダピン２１の摺動部のような、テープ引出し用開口部２６付近における摺動部に、他の参考例として帯電防止処理を施すと、この部分へのテープ貼付きが防止できる。この帯電防止処理は、上記摺動部の表面に帯電防止剤を塗布したり、あるいは上記摺動部を帯電防止剤を混入した材料で作成したりすることによって施すことができる。
【００２８】
図３は、さらに他の参考例を示す、図８に対応する下ハーフの要部平面図、図４は、図３の下ハーフの要部の概略的斜視図である。また、図５はカートリッジケースの要部の概略的断面図である。
【００２９】
この参考例では、カートリッジケース７の側壁（上ハーフ２では２ｂ、下ハーフ３では３ｂ）の内壁面に、テープ貼付き防止構造の参考例として、上下方向へ延びる複数のリブ４０が側壁２ｂ，３ｂに沿って所定の間隔で突設されている。これらリブ４０は、境界線Ｌ１，Ｌ２に挟まれたテープ走行領域Ｍの外の領域であって、かつこのテープ走行領域Ｍのテープ最大巻径側の境界線Ｌ１と、この境界線に近接するカートリッジケース７の側壁２ｂ，３ｂとに挟まれた領域のテープ引出し用開口部２６の近傍に設けられている。
【００３０】
なお、図３においては、リブ４０が設けられていることを除いては、図８と同一であるので、図８に対応する部材に同一符号を付して、重複する説明は省略する。
【００３１】
この参考例では、これらリブ４０を設けたことによって、カートリッジケース７の側壁２ｂ，３ｂへの磁気テープ２０の貼付きを防止することができる。
【００３２】
次の図６は、図５の変形を図５に対応して示す他の参考例としてのカートリッジケースの要部の概略的断面図である。
【００３３】
図６では、テープ貼付き防止構造の参考例としてカートリッジケース７の上ハーフ２の頂壁と下ハーフ３の底壁からボス４１が側壁２ｂ，３ｂの内壁面に沿って設けられた構成を有する。これらボス４１も、上記リブ４０と同様に、テープ走行領域Ｍ外の領域に設けられ、かつこのテープ走行領域Ｍのテープ最大巻径側の境界線Ｌ１とこの境界線に近接するカートリッジケース７の側壁２ｂ，３ｂとに挟まれた領域のテープ引出し用開口部２６の近傍に設けられている。これらボス４１によっても、カートリッジケース７の側壁２ｂ，３ｂへの磁気テープ２０の貼付きが防止できる。
【００３４】
図７は本発明の実施の形態を示し、テープ貼付き防止構造としてのリブ４０およびボス４１を、リーダピン２１の係止用部材を固定するリブおよびボスに兼用した構成を示す。すなわち、この場合は、図１および図２に示すような、磁気テープ２０の端部に取り付けられたリーダピン２１をその上下の端部で着脱自在にかつ弾性的に係止する係止用部材としてのバネ部材４２がテープ引出し用開口部２６に臨むように上下ハーフ２，３にそれぞれ取り付けられるが、図７に示す構成では、バネ部材４２の根元部を鉤状の断面形状を有するリブ４０で係止し、かつボス４１と側壁３ｂの内壁面との間のギャップ内にバネ部材４２の中途部分を保持している。
【図面の簡単な説明】
【図１】  本発明の一実施の形態の構成を示す分解斜視図
【図２】  テープ貼付き防止構造の参考例を有する図１のカートリッジケースの一部を切除した要部の斜視図
【図３】  テープ貼付き防止構造の他の参考例を有する下ハーフの要部拡大平面図
【図４】  図３の下ハーフの要部の概略的斜視図
【図５】  図３および図４の下ハーフを用いたカートリッジケースの要部断面図
【図６】  図５の変形を示すカートリッジケースの要部断面図
【図７】  本発明の実施の形態を示す下ハーフの要部拡大平面図
【図８】  従来のカートリッジケースの下ハーフの要部拡大平面図
【符号の説明】
１    磁気テープカートリッジ
２    上ハーフ
２ｂ    上ハーフの側壁
３    下ハーフ
３ｂ    下ハーフの側壁
４    リール
７    カートリッジケース
２６    磁気テープ引出し用開口部
４０    リブ
４１    ボス
４２    バネ部材（係止用部材）
Ｌ１    テープ走行領域のテープ最大巻径側の境界線
Ｌ２    テープ走行領域のテープ最小巻径側の境界線
Ｍ    テープ走行領域
【図１】
0004076040.tif 000002
【図２】
0004076040.tif 000003
【図３】
0004076040.tif 000004
【図４】
0004076040.tif 000005
【図５】
0004076040.tif 000006
【図６】
0004076040.tif 000007
【図７】
0004076040.tif 000008
【図８】
0004076040.tif 000009